(57)【要約】【課題】  靴を履く人が靴ベラを靴の内部から抜き出す動作を行なわずに靴を履くことが可能な靴履き支援具を提供する。【解決手段】  靴設置部１Ａ，１Ｂおよび降下部２Ａ，２Ｂは、凸部７を有する鉄鋼板２０に形成される。降下部２Ａ，２Ｂは、その一方端が、それぞれ、靴設置部１Ａ，１Ｂに蝶番によって連結される。そして、降下部２Ａ，２Ｂは、靴設置部１Ａ，１Ｂに連結された一方端を中心にして他方端が重力方向に上下する。靴ベラ支持部４Ａ，４Ｂは、靴設置部１Ａ，１Ｂおよび降下部２Ａ，２Ｂに対応して設けられ、靴ベラ３Ａ，３Ｂを支持する。１対の靴が靴設置部１Ａ，１Ｂおよび降下部２Ａ，２Ｂに設置され、靴ベラ３Ａ，３Ｂが１対の靴に入れられると、靴を履く人は、足を靴に入れ、重心を踵に印加する。そうすると、降下部２Ａ，２Ｂが重力方向に降下し、靴ベラ３Ａ，３Ｂが靴から抜ける。【選択図】        図１
2007136038.tif 000002
【特許請求の範囲】
【請求項１】
靴の踵部に対応して設けられ、前記靴の踵部に略重力方向の力が印加されることに応じて前記靴の踵部が前記略重力方向に降下するための空洞部と、
前記靴の踵部以外の部位に対応して設けられた靴設置部とを備える靴履き支援具。
【請求項２】
前記靴設置部および前記空洞部の各々は、ｎ（ｎは正の整数）対の靴に対応して設けられる、請求項１に記載の靴履き支援具。
【請求項３】
靴の踵部に対応して設けられ、前記靴の踵部に略重力方向の力が印加されることに応じて前記靴の踵部を前記略重力方向に降下させる降下部と、
前記靴の踵部以外の部位に対応して設けられた靴設置部とを備える靴履き支援具。
【請求項４】
前記靴設置部および前記降下部の各々は、ｎ（ｎは正の整数）対の靴に対応して設けられる、請求項３に記載の靴履き支援具。
【請求項５】
靴ベラと、
前記靴ベラの少なくとも先端部が前記靴設置部に設置された靴の踵部の内部に入るように前記靴ベラを支持する靴ベラ支持部とをさらに備える、請求項３に記載の靴履き支援具。
【請求項６】
前記靴ベラ支持部は、前記靴の踵部が前記略重力方向へ降下すると、前記靴ベラが前記靴の踵部から抜けるように前記靴ベラを支持する、請求項５に記載の靴履き支援具。
【請求項７】
前記靴設置部、前記降下部、前記靴ベラおよび前記靴ベラ支持部の各々は、ｎ（ｎは正の整数）対の靴に対応して設けられる、請求項５または請求項６に記載の靴履き支援具。
【請求項８】
前記靴が前記靴設置部に設置されると、前記靴ベラの少なくとも先端部を前記靴の踵部の内部へ入れる靴ベラ設定手段をさらに備える、請求項５から請求項７のいずれか１項に記載の靴履き支援具。
【請求項９】
前記降下部および前記靴設置部の各々は、平板部材からなり、
前記降下部は、蝶番によって前記靴設置部に連結される、請求項３から請求項８のいずれか１項に記載の靴履き支援具。
【請求項１０】
前記靴の踵部が前記略重力方向へ降下し、かつ、前記靴が前記靴設置部から離れると、前記降下部の面内方向が前記靴設置部の面内方向に略一致するように前記降下部を上昇させる上昇手段をさらに備える、請求項９に記載の靴履き支援具。
【請求項１１】
前記降下部は、前記靴設置部と一体的に設けられ、
前記降下部および前記靴設置部は、弾力性を有する金属板からなる、請求項３から請求項８のいずれか１項に記載の靴履き支援具。
【請求項１２】
前記靴設置部および前記降下部の表面に設けられ、前記靴の滑りを防止する滑り防止部材をさらに備える、請求項３から請求項１１のいずれか１項に記載の靴履き支援具。
【請求項１３】
人がつかまるための手摺部をさらに備える請求項１から請求項１２のいずれか１項に記載の靴履き支援具。
【請求項１４】
前記手摺部は、重力方向において、上下方向へ移動可能である、請求項１３に記載の靴履き支援具。
【発明の詳細な説明】
【技術分野】
【０００１】
この発明は、靴を履くときの靴履き支援具に関するものである。
【背景技術】
【０００２】
従来、靴履き動作補助具が知られている（特許文献１）。この靴履き動作補助具は、踏み台と、一対の靴ベラ支持部と、一対の靴ベラとを備える。踏み台は、水平板と、垂下板とからなり、水平板および垂下板は、断面形状が略Ｌ字形状になるように一体的に形成されている。
【０００３】
一対の靴ベラ支持部は、踏み台の垂下板に所定の間隔で取り付けられている。一対の靴ベラは、上下方向に摺動可能に一対の靴ベラ支持部に取り付けられている。
【０００４】
この靴履き動作補助具を使用して靴を履くとき、一対の靴ベラを上方向に摺動させた状態で靴の踵が靴ベラ支持部に最も近づくように一対の靴を設置する。そして、一対の靴ベラを下方向に摺動させ、一対の靴ベラの先端部を靴の踵の内部に入れる。
【０００５】
この状態で、靴を履く人は、一対の靴ベラを利用して靴を履き、踵が靴に入った後に、一対の靴ベラを上方向に摺動させる。これによって、靴を履く動作が終了する。
【０００６】
このように、靴履き動作補助具は、踏み台に備え付けられた一対の靴ベラを用いて人が靴を履く動作を補助するものである。
【特許文献１】実用新案登録第３０８２９２４号公報
【発明の開示】
【発明が解決しようとする課題】
【０００７】
しかし、従来の靴履き動作補助具では、人が靴を履いた後、一対の靴ベラを上方向へ摺動させて一対の靴ベラを靴の内部から抜き出す必要があり、靴を履く動作が煩雑になるという問題がある。
【０００８】
そこで、この発明は、かかる問題を解決するためになされたものであり、その目的は、靴を履く人が靴ベラを靴の内部から抜き出す動作を行なわずに靴を履くことが可能な靴履き支援具を提供することである。
【課題を解決するための手段】
【０００９】
この発明によれば、靴履き支援具は、空洞部と、靴設置部とを備える。空洞部は、靴の踵部に対応して設けられ、靴の踵部に略重力方向の力が印加されることに応じて靴の踵部が略重力方向に降下するための空洞である。靴設置部は、靴の踵部以外の部位に対応して設けられる。
【００１０】
好ましくは、靴設置部および空洞部の各々は、ｎ（ｎは正の整数）対の靴に対応して設けられる。
【００１１】
また、この発明によれば、靴履き支援具は、降下部と、靴設置部とを備える。降下部は、靴の踵部に対応して設けられ、靴の踵部に略重力方向の力が印加されることに応じて靴の踵部を略重力方向に降下させる。靴設置部は、靴の踵部以外の部位に対応して設けられる。
【００１２】
好ましくは、靴設置部および降下部の各々は、ｎ（ｎは正の整数）対の靴に対応して設けられる。
【００１３】
好ましくは、靴履き支援具は、靴ベラと、靴ベラ支持部とをさらに備える。靴ベラ支持部は、靴ベラの少なくとも先端部が靴設置部に設置された靴の踵部の内部に入るように靴ベラを支持する。
【００１４】
好ましくは、靴ベラ支持部は、靴の踵部が略重力方向へ降下すると、靴ベラが靴の踵部から抜けるように靴ベラを支持する。
【００１５】
好ましくは、靴設置部、降下部、靴ベラおよび靴ベラ支持部の各々は、ｎ（ｎは正の整数）対の靴に対応して設けられる。
【００１６】
好ましくは、靴履き支援具は、靴ベラ設定手段をさらに備える。靴ベラ設定手段は、靴が靴設置部に設置されると、靴ベラの少なくとも先端部を靴の踵部の内部へ入れる。
【００１７】
好ましくは、降下部および靴設置部の各々は、平板部材からなる。そして、降下部は、蝶番によって靴設置部に連結される。
【００１８】
好ましくは、靴履き支援具は、上昇手段をさらに備える。上昇手段は、靴の踵部が略重力方向へ降下し、かつ、靴が靴設置部から離れると、降下部の面内方向が靴設置部の面内方向に略一致するように降下部を上昇させる。
【００１９】
好ましくは、降下部は、靴設置部と一体的に設けられる。そして、降下部および靴設置部は、弾力性を有する金属板からなる。
【００２０】
好ましくは、靴履き支援具は、滑り防止部材をさらに備える。滑り防止部材は、靴設置部および降下部の表面に設けられ、靴の滑りを防止する。
【００２１】
好ましくは、靴履き支援具は、手摺部をさらに備える。手摺部は、人がつかまるためのものである。
【００２２】
好ましくは、手摺部は、重力方向において、上下方向へ移動可能である。
【発明の効果】
【００２３】
この発明においては、靴ベラを用いて靴を履くとき、足の先を靴の内部に入れた後、足の踵を靴ベラを用いて滑らせて足全体を靴の内部に入れる。そして、踵を靴の内部に入れると同時に、重心を靴の踵部に印加する。そうすると、靴の踵部に対応して設けられた降下部は、重心が踵部に印加されたことに応じて、重力方向に降下し、それに伴って靴の踵部も降下する。そして、靴ベラが靴の内部から抜ける。
【００２４】
したがって、この発明によれば、人は、靴ベラを靴から抜く動作をしなくても靴を容易に履くことができる。
【発明を実施するための最良の形態】
【００２５】
本発明の実施の形態について図面を参照しながら詳細に説明する。なお、図中同一または相当部分には同一符号を付してその説明は繰返さない。
【００２６】
［実施の形態１］
図１は、この発明の実施の形態１による靴履き支援具の斜視図である。図１を参照して、この発明の実施の形態１による靴履き支援具１０は、靴設置部１と、降下部２と、靴ベラ３と、靴ベラ支持部４とを備える。
【００２７】
靴設置部１は、１対の靴に対応して１対の靴設置部１Ａ，１Ｂからなる。降下部２は、１対の靴に対応して１対の降下部２Ａ，２Ｂからなる。靴ベラ３は、１対の靴に対応して１対の靴ベラ３Ａ，３Ｂからなる。靴ベラ支持部４は、１対の靴ベラ３Ａ，３Ｂに対応して１対の靴ベラ支持部４Ａ，４Ｂからなる。
【００２８】
１対の靴設置部１Ａ，１Ｂは、鉄鋼板２０に設けられる。１対の降下部２Ａ，２Ｂは、鉄鋼板２０の一部を略四角形に切断することにより作製され、１対の靴設置部１Ａ，１Ｂに連結される。１対の降下部２Ａ，２Ｂを１対の靴設置部１Ａ，１Ｂに連結する方法については、後述する。
【００２９】
１対の靴ベラ支持部４Ａ，４Ｂは、１対の降下部２Ａ，２Ｂに対向するように鉄鋼板２０に固定される。そして、１対の靴ベラ支持部４Ａ，４Ｂは、１対の降下部２Ａ，２Ｂに対向するように１対の靴ベラ３Ａ，３Ｂをそれぞれリング６Ａ，６Ｂ；６Ｃ，６Ｄによって支持する。このように、靴ベラ３Ａ，３Ｂは、それぞれ、リング６Ａ，６Ｂ；６Ｃ，６Ｄによって靴ベラ支持部４Ａ，４Ｂに取り付けられるので、靴ベラ支持部４Ａ，４Ｂの周りに回転可能である。
【００３０】
鉄鋼板２０は、その表面２０Ａに複数の凸部７を有する。複数の凸部７は、たとえば、碁盤目状に設けられる。したがって、靴設置部１Ａ，１Ｂおよび降下部２Ａ，２Ｂも、その表面に凸部７を有する。
【００３１】
なお、鉄鋼板２０は、靴履き支援具１０の設置面３０に対して所定の角度に傾くように、その一方端が略Ｌ字状に曲がっている。したがって、降下部２Ａ，２Ｂと設置面３０との間は、空間になっている。
【００３２】
図２は、図１に示す靴履き支援具１０を設置面３０側から見たときの平面図である。図２を参照して、靴履き支援具１０は、蝶番５Ａ〜５Ｄと、ゴム部材６とをさらに備える。降下部２Ａは、蝶番５Ａ，５Ｂによって靴設置部１Ａに連結され、降下部２Ｂは、蝶番５Ｃ，５Ｄによって靴設置部１Ｂに連結される。そして、降下部２Ａ，２Ｂは、鉄鋼板２０との間に、それぞれ、空間部８Ａ，８Ｂを有する。
【００３３】
ゴム部材６は、所定の幅を有し、降下部２Ａ，２Ｂの一部を覆うように鉄鋼板２０の裏面２０Ｂに取り付けられる。そして、ゴム部材６は、降下部２Ａ，２Ｂの表面（＝凸部７が設けられた面）がそれぞれ靴設置部１Ａ，１Ｂの表面（＝凸部７が設けられた面）に略一致するように降下部２Ａ，２Ｂを支持する。
【００３４】
図３は、図１に示すＡ方向から見た靴履き支援具１０の側面図である。図３を参照して、降下部２Ｂは、設置面３０に向かう方向（＝重力方向の下方向）に力を受けないとき、その表面（＝凸部７が設けられた面）が靴設置部１Ｂの表面（＝凸部７が設けられた面）に一致するようにゴム部材６によって支持されている（図３の（ａ）参照）。
【００３５】
そして、降下部２Ｂは、設置面３０に向かう方向に力を受けると、蝶番５Ｄ（５Ｃ）によって靴設置部１Ｂに連結された一方端を中心とした円運動を行ない、その他方端が矢印９の方向へ移動して設置面３０に接する。これに伴って、ゴム部材６は、伸びる（図３の（ｂ）参照）。
【００３６】
その後、降下部２Ｂに印加された力が除去されると、降下部２Ｂは、他方端がゴム部材６の収縮力によって矢印１１の方向へ移動し、その表面（＝凸部７が設けられた面）が靴設置部１Ｂの表面（＝凸部７が設けられた面）に一致するようにゴム部材６によって支持される（図３の（ａ）参照）。
【００３７】
降下部２Ａも、降下部２Ｂと同じように移動する。
【００３８】
このように、降下部２Ａ，２Ｂは、力の印加および力の除去によって、蝶番５Ａ，５Ｂ；５Ｃ，５Ｄによって連結された一方端を中心とした円運動を行ない、他方端が重力方向において上下に移動する。
【００３９】
図４は、図１に示す靴履き支援具１０を鉄鋼板２０の表面２０Ａ側から見た平面図である。図４を参照して、１対の靴４０Ａ，４０Ｂは、１つの靴設置部１Ａ，１Ｂおよび１対の降下部２Ａ，２Ｂに設置される。
【００４０】
この場合、靴４０Ａの踵部４１Ａは、降下部２Ａ上に配置され、踵部４１Ａ以外の本端部４２Ａは、靴設置部２Ａ上に配置される。また、靴４０Ｂの踵部４１Ｂは、降下部２Ｂ上に配置され、踵部４１Ｂ以外の本体部４２Ｂは、靴設置部２Ｂ上に配置される。このように、靴設置部１Ａ，１Ｂは、靴４０Ａ，４０Ｂの本体部４２Ａ，４２Ｂに対応して設けられ、降下部２Ａ，２Ｂは、靴４０Ａ，４０Ｂの踵部４１Ａ，４１Ｂに対応して設けられる。
【００４１】
図５は、図１に示す靴履き支援具１０を用いて靴を履く動作を説明するための図である。図５を参照して、靴４０Ａ，４０Ｂを履く人は、靴４０Ａを靴設置部１Ａおよび降下部２Ａに配置し、靴４０Ｂを靴設置部１Ｂおよび降下部２Ｂに配置すると、靴ベラ３Ａ，３Ｂを矢印１２の方向へ回転させる（図５の（ａ）参照）。
【００４２】
そうすると、靴ベラ３Ａ，３Ｂは、それぞれ、その先端部が靴４０Ａ，４０Ｂの踵部４１Ａ，４１Ｂの内部に入る（図５の（ｂ）参照）。
【００４３】
この状態で、靴を履く人は、靴ベラ３Ａ，３Ｂを利用して靴４０Ａ，４０Ｂを履く。この場合、靴を履く人は、重心を足のつま先の方へ移動させながら足を靴４０Ａ，４０Ｂに入れ、その後、踵を靴ベラ３Ａ，３Ｂで滑らせながら重心を後方へ移動させて足を靴４０Ａ，４０Ｂの内部に入れる。
【００４４】
そうすると、靴４０Ａ，４０Ｂの踵部４１Ａ，４１Ｂに力が印加され、降下部２Ａ，２Ｂは、それぞれ、踵部４１Ａ，４１Ｂから設置面３０に向かう力を受け、図３において説明したように、その他方端が矢印９の方向へ移動して降下する。その結果、靴ベラ３Ａ，３Ｂは、それぞれ、踵部４１Ａ，４１Ｂから抜け、元の位置に戻る（図５の（ｃ）参照）。
【００４５】
これによって、人は、靴ベラ３Ａ，３Ｂを靴４０Ａ，４０Ｂ（踵部４１Ａ，４１Ｂ）から抜き出す動作を行なわなくても靴４０Ａ，４０Ｂを履くことができる。また、靴設置部１Ａ，１Ｂおよび降下部２Ａ，２Ｂの表面には、複数の凸部７が形成されているので、鉄鋼板２０が設置面３０に対して所定の角度に傾いていても、靴４０Ａ，４０Ｂの滑りを防止しながら靴４０Ａ，４０Ｂを履くことができる。
【００４６】
靴を履く人は、靴４０Ａ，４０Ｂを履き終わった後、靴履き支援具１０から離れると、降下部２Ａ，２Ｂは、印加されていた力が除去され、ゴム部材６の収縮力によって元の位置に戻る。したがって、各人は、靴履き支援具１０を繰り返し使用して靴４０Ａ，４０Ｂを履くことができる。
【００４７】
靴履き支援具１０を作製する場合、略四角形からなり、かつ、複数の凸部７が形成された鉄鋼板２０をレーザを用いてカッティングし、降下部２Ａ，２Ｂを切り出す。そして、鉄鋼板２０の一方端を略Ｌ字状に曲げる。
【００４８】
その後、切り出した降下部２Ａ，２Ｂを蝶番５Ａ，５Ｂ；５Ｃ，５Ｄによってそれぞれ靴設置部１Ａ，１Ｂに連結するとともに、鉄鋼板２０の裏面２０Ｂにゴム部材６を取り付ける。
【００４９】
そして、靴ベラ３Ａをリング６Ａ，６Ｂによって靴ベラ支持部４Ａに取り付け、靴ベラ３Ｂをリング６Ｃ，６Ｄによって靴ベラ支持部４Ｂに取り付ける。その後、靴ベラ３Ａ，３Ｂが取り付けられた靴ベラ支持部４Ａ，４Ｂを鉄鋼板２０に固定する。
【００５０】
これによって、靴履き支援具１０が完成する。
【００５１】
なお、ゴム部材６は、靴４０Ａ，４０Ｂから靴設置部１Ａ，１Ｂから離れると、降下部２Ａ，２Ｂの面内方向が靴設置部１Ａ，１Ｂの面内方向に略一致するように降下部２Ａ，２Ｂを上昇させる「上昇手段」を構成する。
【００５２】
また、凸部７は、「滑り防止部材」を構成する。
【００５３】
［実施の形態２］
図６は、実施の形態２による靴履き支援具の斜視図である。図６を参照して、実施の形態２による靴履き支援具１０Ａは、図１に示す靴履き支援具１０の降下部２Ａ，２Ｂをそれぞれ降下部２１Ａ，２１Ｂに代えたものであり、その他は、靴履き支援具１０と同じである。
【００５４】
降下部２１Ａ，２１Ｂは、それぞれ、鉄鋼板２０との間で空間部８Ａ，８Ｂを有し、靴設置部１Ａ，１Ｂと一体的に設けられる。靴履き支援具１０Ａにおいては、鉄鋼板２０は、弾力性を有する鉄鋼板からなる。
【００５５】
図７は、図６に示すＢ方向から見た靴履き支援具１０Ａの側面図である。図７を参照して、降下部２１Ｂは、設置面３０に向かう方向（＝重力方向の下方向）に力を受けないとき、その表面（＝凸部７が設けられた面）が靴設置部１Ｂの表面（＝凸部７が設けられた面）に一致している（図７の（ａ）参照）。
【００５６】
そして、降下部２１Ｂは、設置面３０に向かう方向に力を受けると、その弾力性によって靴設置部１Ｂとの連結部を中心とした円運動を行ない、その他方端が矢印９の方向へ移動して設置面３０に接する（図７の（ｂ）参照）。
【００５７】
その後、降下部２１Ｂに印加された力が除去されると、降下部２１Ｂは、その弾力性によって矢印１１の方向へ移動し、その表面（＝凸部７が設けられた面）が靴設置部１Ｂの表面（＝凸部７が設けられた面）に一致する（図７の（ａ）参照）。
【００５８】
降下部２１Ａも、降下部２１Ｂと同じように移動する。
【００５９】
このように、降下部２１Ａ，２１Ｂは、力の印加および力の除去によって、靴設置部１Ａ，１Ｂに連結された一方端を中心とした円運動を行ない、他方端が重力方向において上下に移動する。
【００６０】
靴履き支援具１０Ａにおける靴を履く動作は、図５に示す動作のうち、降下部２Ａ，２Ｂが重力方向において上下動する動作を、降下部２１Ａ，２１Ｂが上下動する動作に代えたものである。
【００６１】
靴履き支援具１０Ａを作製する場合、略四角形からなり、かつ、複数の凸部７が形成された鉄鋼板２０をレーザを用いてカッティングし、靴設置部１Ａ，１Ｂに一体的に連結された降下部２１Ａ，２１Ｂを作製する。そして、鉄鋼板２０の一方端を略Ｌ字状に曲げる。
【００６２】
そして、靴ベラ３Ａをリング６Ａ，６Ｂによって靴ベラ支持部４Ａに取り付け、靴ベラ３Ｂをリング６Ｃ，６Ｄによって靴ベラ支持部４Ｂに取り付ける。その後、靴ベラ３Ａ，３Ｂが取り付けられた靴ベラ支持部４Ａ，４Ｂを鉄鋼板２０に固定する。
【００６３】
これによって、靴履き支援具１０Ａが完成する。
【００６４】
靴履き支援具１０Ａを用いた場合にも、靴を履く人は、靴ベラ３Ａ，３Ｂを踵部４１Ａ，４１Ｂから抜き出す動作を行なわなくても靴４０Ａ，４０Ｂを履くことができる。
【００６５】
その他は、実施の形態１と同じである。
【００６６】
［実施の形態３］
図８は、実施の形態３による靴履き支援具１０Ｂの斜視図である。図８を参照して、実施の形態３による靴履き支援具１０Ｂは、図１に示す靴履き支援具１０に手摺５０を追加したものであり、その他は、靴履き支援具１０と同じである。
【００６７】
手摺５０は、１対の靴設置部１Ａ，１Ｂ、降下部２Ａ，２Ｂ、靴ベラ３Ａ，３Ｂおよび靴ベラ支持部４Ａ，４Ｂに対応して鉄鋼板２０に固定される。
【００６８】
靴履き支援具１０Ｂを用いて靴４０Ａ，４０Ｂを履く場合、人は、靴設置部１Ａ，１Ｂおよび降下部２Ａ，２Ｂに靴４０Ａ，４０Ｂを設置した後、手摺５０につかまりながら、足を靴４０Ａ，４０Ｂに入れ、実施の形態１において説明した動作によって靴４０Ａ，４０Ｂを履くことができる。
【００６９】
したがって、靴履き支援具１０Ｂを用いれば、老人および体の不自由な人（特に下半身が不自由な人）等は、靴４０Ａ，４０Ｂを容易に履くことができる。
【００７０】
靴履き支援具１０Ｂを作製する場合、略四角形からなり、かつ、複数の凸部７が形成された鉄鋼板２０をレーザを用いてカッティングし、降下部２Ａ，２Ｂを切り出す。そして、鉄鋼板２０の一方端を略Ｌ字状に曲げる。
【００７１】
その後、切り出した降下部２Ａ，２Ｂを蝶番５Ａ，５Ｂ；５Ｃ，５Ｄによってそれぞれ靴設置部１Ａ，１Ｂに連結するとともに、鉄鋼板２０の裏面２０Ｂにゴム部材６を取り付ける。
【００７２】
そして、靴ベラ３Ａをリング６Ａ，６Ｂによって靴ベラ支持部４Ａに取り付け、靴ベラ３Ｂをリング６Ｃ，６Ｄによって靴ベラ支持部４Ｂに取り付ける。その後、靴ベラ３Ａ，３Ｂが取り付けられた靴ベラ支持部４Ａ，４Ｂを鉄鋼板２０に固定する。さらに、手摺５０を靴設置部１Ａ，１Ｂ、降下部２Ａ，２Ｂ、靴ベラ３Ａ，３Ｂおよび靴ベラ支持部４Ａ，４Ｂに対向して鉄鋼板２０に固定する。
【００７３】
これによって、靴履き支援具１０Ｂが完成する。
【００７４】
なお、実施の形態３による靴履き支援具は、図６に示す靴履き支援具１０Ａに手摺５０を追加したものであってもよい。
【００７５】
その他は、実施の形態１と同じである。
【００７６】
［実施の形態４］
図９は、実施の形態４による靴履き支援具の斜視図である。図９を参照して、実施の形態４による靴履き支援具１０Ｃは、図１に示す靴履き支援具１０の靴ベラ支持部４Ａ，４Ｂをそれぞれ靴ベラ支持部１４Ａ，１４Ｂに代え、棒部材１５、支持部材１６Ａ，１６Ｂ、センサー１７Ａ，１７Ｂ、モータ６０および制御回路７０を追加したものであり、その他は、靴履き支援具１０と同じである。
【００７７】
靴ベラ支持部１４Ａ，１４Ｂは、それぞれ、靴ベラ３Ａ，３Ｂに直接連結される。棒部材１５は、一方端が支持部材１６Ａによって支持され、他方端が支持部材１６Ｂによって支持されるとともに、モータ６０のシャフト６１に連結される。
【００７８】
センサー１７Ａ，１７Ｂは、それぞれ、靴設置部１Ａ，１Ｂに配設され、制御回路７０と電気的に接続される。
【００７９】
図１０は、図９に示す靴ベラ支持部１４Ａの拡大図である。図１０を参照して、靴ベラ支持部１４Ａは、中空の円筒構造からなり、開口部１４１を有する。開口部１４１は、靴ベラ支持部１４Ａの一部に設けられている。より具体的には、開口部１４１は、靴ベラ支持部１４Ａに連結された靴ベラ３Ａが靴ベラ支持部１４Ａを中心にして所定の範囲で回転運動を自由にできるように、靴ベラ支持部１４Ａの周方向に形成される。
【００８０】
棒部材１５は、靴ベラ支持部１４Ａの内周部を貫通するとともに、靴ベラ支持部１４Ａの開口部１４１内を移動可能な止め具１５１を有する。そして、靴ベラ支持部１４Ａは、止め具１５１が開口部１４１の端面１４１Ａと端面１４１Ｂとの間を移動する範囲において、棒部材１５に対して自由に回転可能である。
【００８１】
棒部材１５が矢印１３の方向へ回転し、止め具１５１が開口部１４１の端面１４１Ａに接すると、靴ベラ支持部１４Ａは、棒部材１５の回転に伴って矢印１３の方向へ回転する。これによって、靴ベラ３Ａは、棒部材１５の周囲を回転可能である。
【００８２】
図１１は、靴ベラ３Ａの回転を説明するための図である。図１１を参照して、棒部材１５は、止め具１５１が重力方向において下方向を向く位置で停止されている。また、靴ベラ３Ａは、重力方向において下方向を向くように靴ベラ支持部１４Ａに取り付けられている。
【００８３】
この状態において、靴ベラ支持部１４Ａは、端面１４１Ａ，１４１Ｂが止め具１５１に接する範囲で自由に回転可能であるので、靴ベラ３Ａは、靴ベラ支持部１４Ａが回転可能な範囲において自由に回転可能である（図１１の（ａ）参照）。
【００８４】
そして、棒部材１５が矢印１３の方向へ回転し、止め具１５１が開口部１４１の端面１４１Ａに接すると、靴ベラ支持部１４Ａは、棒部材１５の回転に伴って矢印１３の方向へ回転する。そして、止め具１５１が矢印１３の方向へ１回転するように棒部材１５が回転すると、靴ベラ支持部１４Ａは、棒部材１５の回転に伴って矢印１３の方向へ１回転し、靴ベラ３Ａも、矢印１３の方向へ１回転する（図１１の（ｂ）参照）。
【００８５】
このように、靴ベラ３Ａは、棒部材１５の回転に伴って１回転する。
【００８６】
なお、靴ベラ支持部１４Ｂは、靴ベラ支持部１４Ａと同じ構造からなり、棒部材１５は、靴ベラ支持部１４Ｂの開口部を移動可能な止め具（図示せず）を有する。したがって、靴ベラ支持部１４Ｂは、棒部材１５の回転に伴って、靴ベラ支持部１４Ａと同じように回転可能であり、靴ベラ３Ｂは、靴ベラ支持部１４Ｂの回転に伴って１回転する。
【００８７】
再び、図９を参照して、センサー１７Ａは、靴４０Ａが靴設置部１Ａおよび降下部２Ａに設置されると、靴４０Ａの設置を検出し、靴４０Ａが設置されたことを示す信号を生成して制御回路７０へ出力する。また、センサー１７Ｂは、靴４０Ｂが靴設置部１Ｂおよび降下部２Ｂに設置されると、靴４０Ｂの設置を検出し、靴４０Ｂが設置されたことを示す信号を生成して制御回路７０へ出力する。
【００８８】
制御回路７０は、センサー１７Ａ，１７Ｂからそれぞれ靴４０Ａ，４０Ｂが設置されたことを示す信号を受けると、シャフト６１を矢印１３の方向へ１回転させるようにモータ６０を制御する。
【００８９】
モータ６０は、制御回路７０からの制御に応じて、シャフト６１を矢印１３の方向へ１回転させる。これによって、靴ベラ３Ａ，３Ｂは、上述した機構によって、それぞれ、棒部材１５の周りを矢印１３の方向へ１回転する。
【００９０】
このように、靴履き支援具１０Ｃにおいては、靴４０Ａ，４０Ｂの靴設置部１Ａ，１Ｂへの設置が検出されると、靴ベラ３Ａ，３Ｂが自動的に棒部材１５の周りに１回転する。
【００９１】
図５の（ａ）に示す態様で、靴４０Ａ，４０Ｂが靴履き支援具１０Ｃの靴設置部１Ａ，１Ｂおよび降下部２Ａ，２Ｂに設置されると、靴ベラ３Ａ，３Ｂは、矢印１３の方向へ１回転し、その先端部が靴４０Ａ，４０Ｂの踵部４１Ａ，４１Ｂの内部へ入る。つまり、靴履き支援具１０Ｃを用いて靴４０Ａ，４０Ｂを履く人は、靴４０Ａ，４０Ｂを靴設置部１Ａ，１Ｂおよび降下部２Ａ，２Ｂに設置するだけで、靴ベラ３Ａ，３Ｂの先端部がそれぞれ靴４０Ａ，４０Ｂの踵部４１Ａ，４１Ｂの内部に入った状態（図５の（ｂ）の状態）になる。
【００９２】
したがって、靴４０Ａ，４０Ｂを履く人は、その後、実施の形態１で説明したように足を靴４０Ａ，４０Ｂに入れ、重心を踵部４１Ａ，４１Ｂへ移動させるだけ、靴ベラ３Ａ，３Ｂが踵部４１Ａ，４１Ｂから抜け、容易に靴４０Ａ，４０Ｂを履くことができる。
【００９３】
つまり、靴を履く人は、靴履き支援具１０Ｃを用いる場合、靴ベラ３Ａ，３Ｂを靴４０Ａ，４０Ｂの踵部４１Ａ，４１Ｂの内部へ入れる動作をしなくても、靴ベラ３Ａ，３Ｂを用いて足を靴４０Ａ，４０Ｂに入れるとともに、靴ベラ３Ａ，３Ｂを踵部４１Ａ，４１Ｂから抜き出すことができる。
【００９４】
なお、実施の形態４による靴履き支援具は、靴履き支援具１０Ａ，１０Ｂの靴ベラ支持部４Ａ、４Ｂを靴ベラ支持部１４Ａ，１４Ｂに代え、棒部材１５、支持部材１６Ａ，１６Ｂ、センサー１７Ａ，１７Ａ、モータ６０および制御回路７０を追加したものであってもよい。
【００９５】
また、実施の形態４においては、センサー１７Ａ，１７Ｂ、制御回路７０、モータ６０および棒部材１５は、靴４０Ａ，４０Ｂが靴設置部１Ａ，１Ｂに設置されると、靴ベラ３Ａ，３Ｂの少なくとも先端部を靴４０Ａ，４０Ｂの踵部４１Ａ，４１Ｂの内部へ入れる「靴ベラ設定手段」を構成する。
【００９６】
その他は、実施の形態１と同じである。
【００９７】
［実施の形態５］
図１２は、実施の形態５による靴履き支援具の斜視図である。図１２を参照して、実施の形態５による靴履き支援具１０Ｄは、図１に示す靴履き支援具１０の靴設置部１Ｂ、降下部２Ｂ、靴ベラ３Ｂおよび靴ベラ支持部４Ｂを削除したものであり、その他は、靴履き支援具１０と同じである。
【００９８】
すなわち、靴履き支援具１０Ｄは、１足の靴４０Ａ，４０Ｂを片方の靴ごとに順次履くときに用いられる靴履き支援具である。
【００９９】
靴履き支援具１０Ｄを用いて靴４０Ａ，４０Ｂを履く場合、まず、靴４０Ａを靴設置部１Ａおよび降下部２Ａに設置し、靴ベラ３Ａの先端部を靴４０Ａの踵部４１Ａに入れる。そして、足の先端を靴４０Ａの内部に入れ、靴ベラ３Ａを用いて足の踵を滑らせながら重心を踵部４１Ａに掛ける。
【０１００】
そうすると、降下部２Ａが重力方向において降下し、靴ベラ３Ａが踵部４１Ａから抜ける。そして、靴４０Ａを靴設置部１Ａおよび降下部２Ａが移動させ、靴４０Ｂを靴設置部１Ａおよび降下部２Ａに設置する。
【０１０１】
その後、靴４０Ａを履いた動作と同じ動作によって靴４０Ｂを履く。これによって、靴ベラ３Ａを踵部４１Ａ，４１Ｂから抜き出す動作を行なわなくても、１足の靴４０Ａ，４０Ｂを履くことができる。
【０１０２】
その他は、実施の形態１と同じである。
【０１０３】
［実施の形態６］
図１３は、実施の形態６による靴履き支援具の斜視図である。図１３を参照して、実施の形態６による靴履き支援具１０Ｅは、図１２に示す靴履き支援具１０Ｄに手摺５０Ａを追加したものであり、その他は、靴履き支援具１０Ｄと同じである。
【０１０４】
手摺５０Ａは、靴設置部１Ａ、降下部２Ａ、靴ベラ３Ａおよび靴ベラ支持部４Ａに対向して鉄鋼板２０に固定される。
【０１０５】
靴履き支援具１０Ｅを用いれば、靴４０Ａ，４０Ｂを履く人は、手摺５０Ａにつかまりながら、実施の形態５において説明した動作と同じ動作によって靴４０Ａ，４０Ｂを履くことができる。
【０１０６】
その他は、実施の形態１，５と同じである。
【０１０７】
［実施の形態７］
図１４は、実施の形態７による靴履き支援具の斜視図である。図７を参照して、実施の形態７による靴履き支援具１０Ｆは、靴履き支援具１１１〜１１ｍ（ｍは、３以上の整数）からなる。ｍ個の靴履き支援具１１１〜１１ｍは、凸部７が形成された鉄鋼板１１０に直線状に形成される。
【０１０８】
ｍ個の靴履き支援具１１１〜１１ｍの各々は、図１に示す靴履き支援具１０からなる。したがって、ｍ個の靴履き支援具１１１〜１１ｍの各々を用いて靴４０Ａ，４０Ｂを履く動作は、靴履き支援具１０を用いて靴４０Ａ，４０Ｂを履く動作と同じである。
【０１０９】
靴履き支援具１０Ｆを用いれば、ｍ人の人が同時に靴を履くことができる。
【０１１０】
なお、実施の形態７においては、ｍ個の靴履き支援具１１１〜１１ｍは、直線状に配列されていなくてもよく、たとえば、ループ状に配列されていてもよく、碁盤目状に配列されていてもよい。
【０１１１】
また、実施の形態７においては、ｍ個の靴履き支援具１１１〜１１ｍの各々は、図１２に示す靴履き支援具１０Ｄからなっていてもよい。
【０１１２】
その他は、実施の形態１と同じである。
【０１１３】
［実施の形態８］
図１５は、実施の形態８による靴履き支援具の斜視図である。図１５を参照して、実施の形態８による靴履き支援具１０Ｇは、ｍ個の靴履き支援具１２１〜１２ｍからなる。ｍ個の靴履き支援具１２１〜１２ｍは、凸部７が形成された鉄鋼板１１０に直線状に形成される。
【０１１４】
ｍ個の靴履き支援具１２１〜１２ｍの各々は、図８に示す靴履き支援具１０Ｂからなる。したがって、ｍ個の靴履き支援具１２１〜１２ｍの各々を用いて靴４０Ａ，４０Ｂを履く動作は、靴履き支援具１０Ｂを用いて靴４０Ａ，４０Ｂを履く動作と同じである。
【０１１５】
靴履き支援具１０Ｇを用いれば、ｍ人の人が手摺５０につかまりながら同時に靴４０Ａ，４０Ｂを履くことができる。
【０１１６】
なお、実施の形態８においては、ｍ個の靴履き支援具１２１〜１２ｍは、直線状に配列されていなくてもよく、たとえば、ループ状に配列されていてもよく、碁盤目状に配列されていてもよい。
【０１１７】
また、実施の形態８においては、ｍ個の靴履き支援具１２１〜１２ｍの各々は、図１３に示す靴履き支援具１０Ｅからなっていてもよい。
【０１１８】
その他は、実施の形態１，３と同じである。
【０１１９】
［実施の形態９］
図１６は、実施の形態９による靴履き支援具の斜視図である。図１６を参照して、実施の形態９による靴履き支援具１０Ｈは、図１２に示す靴履き支援具１０Ｄから靴ベラ３Ａ、靴ベラ支持部４Ａおよびリング６Ａ，６Ｂを削除したものであり、その他は、靴履き支援具１０Ｄと同じである。
【０１２０】
図１７は、図１６に示す靴履き支援具１０Ｈを用いて靴を履く動作を説明するための図である。図１７を参照して、靴４０Ａを履く人は、靴４０Ａを靴設置部１Ａおよび降下部２Ａに配置する（図１７の（ａ）参照）。
【０１２１】
そして、靴４０Ａを履く人は、靴ベラ３３を靴４０Ａの踵部４１Ａの内部に入れる（図１７の（ｂ）参照）。この場合、靴４０Ａを履く人は、靴ベラ３Ａ，３Ｂよりも長い靴ベラ３３を使用するのが好ましい。
【０１２２】
この状態で、靴４０Ａを履く人は、靴ベラ３３を利用して靴４０Ａを履く。この場合、靴４０Ａを履く人は、重心を足のつま先の方へ移動させながら足を靴４０Ａに入れ、その後、踵を靴ベラ３３で滑らせながら重心を後方へ移動させて足を靴４０Ａの内部に入れる。
【０１２３】
そうすると、靴４０Ａの踵部４１Ａに力が印加され、降下部２Ａは、踵部４１Ａから設置面３０に向かう力を受け、図３において説明したように、その他方端が矢印９の方向へ移動して降下する。その結果、靴ベラ３３は、踵部４１Ａから抜ける（図１７の（ｃ）参照）。
【０１２４】
これによって、人は、靴ベラ３３を靴４０Ａ（踵部４１Ａ）から抜き出す動作を行なわなくても靴４０Ａを履くことができる。すなわち、靴を履く人は、靴ベラ３３を引っ張って靴４０Ａから靴ベラ３３を抜き出さなくても、靴ベラ３３を支えるだけで靴ベラ３３が靴４０Ａ（踵部４１Ａ）から抜け出す。
【０１２５】
そして、靴を履く人は、靴４０Ａを履き終わった後、靴４０Ａを靴履き支援具１０Ｈから離すと、降下部２Ａは、印加されていた力が除去され、ゴム部材６の収縮力によって元の位置に戻る。
【０１２６】
その後、靴を履く人は、靴４０Ｂを靴設置部１Ａおよび降下部２Ａに設置して、靴４０Ａを履いたときの動作と同じ動作に従って靴４０Ｂを履く。
【０１２７】
したがって、各人は、靴履き支援具１０Ｈを繰り返し使用して靴４０Ａ，４０Ｂを履くことができる。
【０１２８】
その他は、実施の形態５と同じである。
【０１２９】
［実施の形態１０］
図１８は、実施の形態１０による靴履き支援具の斜視図である。図１８を参照して、実施の形態１０による靴履き支援具１０Ｉは、図１６に示す靴履き支援具１０Ｈに靴設置部１Ｂおよび降下部２Ｂを追加したものであり、その他は、靴履き支援具１０Ｈと同じである。
【０１３０】
靴履き支援具１０Ｉを用いて靴４０Ａ，４０Ｂを履く場合、１対の靴４０Ａ，４０Ｂを同時に靴履き支援具１０Ｉに設置し、図１７において説明した動作を靴４０Ａ，４０Ｂの各々について、順次、実行して１対の靴４０Ａ，４０Ｂを履く。
【０１３１】
その他は、実施の形態９と同じである。
【０１３２】
［実施の形態１１］
図１９は、実施の形態１１による靴履き支援具の斜視図である。図１９を参照して、実施の形態１１による靴履き支援具１０Ｊは、ｍ個の靴履き支援具１３１〜１３ｍからなる。そして、ｍ個の靴履き支援具１３１〜１３ｍは、凸部７が形成された鉄鋼板１１０に直線状に形成される。
【０１３３】
ｍ個の靴履き支援具１３１〜１３ｍの各々は、図１８に示す靴履き支援具１０Ｉからなる。したがって、ｍ個の靴履き支援具１３１〜１３ｍの各々を用いて靴４０Ａ，４０Ｂを履く動作は、靴履き支援具１０Ｉを用いて靴４０Ａ，４０Ｂを履く動作と同じである。
【０１３４】
靴履き支援具１０Ｊを用いれば、ｍ人の人が同時に靴４０Ａ，４０Ｂを履くことができる。
【０１３５】
なお、実施の形態１１においては、ｍ個の靴履き支援具１３１〜１３ｍは、直線状に配列されていなくてもよく、たとえば、ループ状に配列されていてもよく、碁盤目状に配列されていてもよい。
【０１３６】
その他は、実施の形態１０と同じである。
【０１３７】
［実施の形態１２］
図２０は、実施の形態１２による靴履き支援具の斜視図である。図２０を参照して、実施の形態１２による靴履き支援具１０Ｋは、図１６に示す靴履き支援具１０Ｈに手摺５０を追加したものであり、その他は、靴履き支援具１０Ｈと同じである。
【０１３８】
手摺５０は、靴設置部１Ａおよび降下部２Ａに対向して鉄鋼板２０に固定される。
【０１３９】
靴履き支援具１０Ｋを用いれば、靴４０Ａ，４０Ｂを履く人は、手摺５０につかまりながら、実施の形態９において説明した動作と同じ動作によって靴４０Ａ，４０Ｂを履くことができる。
【０１４０】
その他は、実施の形態９と同じである。
【０１４１】
［実施の形態１３］
図２１は、実施の形態１３による靴履き支援具の斜視図である。図２１を参照して、実施の形態１３による靴履き支援具１０Ｌは、図１８に示す靴履き支援具１０Ｉに手摺５０を追加したものであり、その他は、靴履き支援具１０Ｉと同じである。
【０１４２】
手摺５０は、靴設置部１Ａ，１Ｂおよび降下部２Ａ，２Ｂに対向して鉄鋼板２０に固定される。
【０１４３】
靴履き支援具１０Ｌを用いれば、靴４０Ａ，４０Ｂを履く人は、手摺５０につかまりながら、実施の形態１０において説明した動作と同じ動作によって靴４０Ａ，４０Ｂを履くことができる。
【０１４４】
その他は、実施の形態１０と同じである。
【０１４５】
［実施の形態１４］
図２２は、実施の形態１４による靴履き支援具の斜視図である。図２２を参照して、実施の形態１４による靴履き支援具１０Ｍは、ｍ個の靴履き支援具１６１〜１６ｍからなる。ｍ個の靴履き支援具１６１〜１６ｍは、凸部７が形成された鉄鋼板１１０に直線状に形成される。
【０１４６】
ｍ個の靴履き支援具１６１〜１６ｍの各々は、図２１に示す靴履き支援具１０Ｌからなる。したがって、ｍ個の靴履き支援具１６１〜１６ｍの各々を用いて靴４０Ａ，４０Ｂを履く動作は、靴履き支援具１０Ｌを用いて靴４０Ａ，４０Ｂを履く動作と同じである。
【０１４７】
靴履き支援具１０Ｍを用いれば、ｍ人の人が手摺５０につかまりながら靴４０Ａ，４０Ｂを履くことができる。
【０１４８】
なお、実施の形態１４においては、ｍ個の靴履き支援具１６１〜１６ｍは、直線状に配列されていなくてもよく、たとえば、ループ状に配列されていてもよく、碁盤目状に配列されていてもよい。
【０１４９】
その他は、実施の形態１３と同じである。
【０１５０】
［実施の形態１５］
図２３は、実施の形態１５による靴履き支援具の斜視図である。図２３を参照して、実施の形態１５による靴履き支援具１０Ｎは、図１６に示す靴履き支援具１０Ｈの降下部２Ａを降下部２２１Ａに代え、ゴム部材６を削除したものであり、その他は、靴履き支援具１０Ｈと同じである。
【０１５１】
降下部２２１Ａは、図２に示す態様で蝶番５Ａ，５Ｂによって靴設置部１Ａに連結される。
【０１５２】
靴履き支援具１０Ｎにおいては、ゴム部材６（図２参照）が削除されているので、降下部２２１Ａは、蝶番５Ａ，５Ｂによって連結された一方端と異なる他方端が常に設置面３０に接触している。
【０１５３】
靴履き支援具１０Ｎを用いて靴４０Ａを履く場合、靴４０Ａを靴設置部１Ａに設置する。この場合、靴４０Ａの踵部４１Ａと降下部２２１Ａとの間には、空洞部が形成されている。すなわち、空洞部は、靴４０Ａの踵部４１Ａに対応して設けられている。
【０１５４】
この状態で、靴ベラ３３を靴４０Ａの踵部４１Ａの内部に入れる。そして、靴４０Ａを履く人は、重心を足のつま先の方へ移動させながら足を靴４０Ａに入れ、その後、踵を靴ベラ３３で滑らせながら重心を後方へ移動させて足を靴４０Ａの内部に入れる。
【０１５５】
そうすると、靴４０Ａの踵部４１Ａに力が印加され、踵部４１Ａは、降下部２２１Ａとの間の空洞を降下部２２１の方へ移動して降下する。その結果、靴ベラ３３は、踵部４１Ａから抜ける（図１７の（ｃ９）参照）。
【０１５６】
これによって、人は、靴ベラ３３を靴４０Ａ（踵部４１Ａ）から抜き出す動作を行なわなくても靴４０Ａを履くことができる。すなわち、靴を履く人は、靴ベラ３３を引っ張って靴４０Ａから靴ベラ３３を抜き出さなくても、靴ベラ３３を支えるだけで靴ベラ３３が靴４０Ａ（踵部４１Ａ）から抜け出す。
【０１５７】
そして、靴を履く人は、靴４０Ａを履き終わった後、靴４０Ａを靴履き支援具１０Ｎから離し、靴４０Ｂを靴設置部１Ａに設置して、靴４０Ａを履いたときの動作と同じ動作に従って靴４０Ｂを履く。
【０１５８】
したがって、各人は、靴履き支援具１０Ｎを繰り返し使用して靴４０Ａ，４０Ｂを履くことができる。
【０１５９】
実施の形態１５による靴履き支援具は、複数の靴履き支援具１０Ｎを直線状等に配列した構造からなっていてもよいし、靴履き支援具１０Ｎに手摺５０を追加したものであってもよいし、靴ベラ３Ａおよび靴ベラ支持部４Ａを靴履き支援具１０Ｎに追加したものであってもよいし、靴ベラ３Ａ、靴ベラ支持部４Ａおよび手摺５０を靴履き支援具１０Ｎに追加したものであってもよい。
【０１６０】
また、実施の形態１５による靴履き支援具は、実施の形態４において説明したように、靴４０Ａ（または４０Ｂ）を靴設置部１Ａに設置すると、靴ベラ３Ａが自動的に靴４０Ａの踵部４１Ａに入る機構を靴履き支援具１０Ｎに追加したものであってもよいし、靴ベラ３Ａが自動的に靴４０Ａの踵部４１Ａに入る機構と手摺５０とを靴履き支援具１０Ｎに追加したものであってもよい。
【０１６１】
このように、実施の形態１５においては、上述した実施の形態１〜実施の形態１４を適宜組み合わせて靴履き支援具を構成してもよい。
【０１６２】
なお、上述した実施の形態５〜実施の形態１４においては、降下部２Ａまたは降下部２Ａ，２Ｂに代えて降下部２１Ａまたは降下部２１Ａ，２１Ｂを用いてもよい。この場合、ゴム部材６は、削除される。
【０１６３】
また、上記においては、鉄鋼板２０，１１０を用いて靴履き支援具１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎを作製すると説明したが、この発明においては、これに限らず、鉄鋼板以外の材料、たとえば、プラスチック等を用いて靴履き支援具１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎを作製してもよい。
【０１６４】
さらに、上記においては、鉄鋼板２０，１１０の表面には、凸部７が形成されていると説明したが、この発明においては、これに限らず、凸部７以外の滑り防止部材が鉄鋼板２０，１１０の表面に形成されていてもよい。
【０１６５】
さらに、この発明においては、凸部７が形成されていない鉄鋼板を用いて靴履き支援具１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎを作製してもよい。
【０１６６】
さらに、この発明においては、上述した手摺５０，５０Ａを上下方向へ伸縮可能にしてもよい。これにより、子供および大人等、身長の異なる人が靴履き支援具を用いる場合、その人の身長に合わせて手摺５０，５０Ａの高さを調整して靴履き支援具を用いることができる。
【０１６７】
さらに、この発明による靴履き支援具は、一般的に、ｎ（ｎは正の整数）対の靴設置部１Ａ，１Ｂと、ｎ対の降下部２Ａ，２Ｂ（または降下部２１Ａ，２１Ｂまたは降下部２２１Ａ，２２１Ｂ）とから構成されていればよい。
【０１６８】
さらに、この発明による靴履き支援具は、一般的に、ｎ個の靴設置部１Ａと、ｎ個の降下部２Ａ（または降下部２１Ａまたは降下部２２１Ａ）とから構成されていればよい。
【０１６９】
上述した靴履き支援具１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎは、家庭、会合場所、福祉施設、および病院等に設置される。
【０１７０】
その結果、各場所において、各人がスムーズに靴を履くことができる。特に、高齢者および体の不自由な人は、負担を軽減して靴を履くことができる。
【０１７１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１７２】
この発明は、靴を履く人が靴ベラを靴の内部から抜き出す動作を行なわずに靴を履くことが可能な靴履き支援具に適用される。
【図面の簡単な説明】
【０１７３】
【図１】この発明の実施の形態１による靴履き支援具の斜視図である。
【図２】図１に示す靴履き支援具を設置面側から見たときの平面図である。
【図３】図１に示すＡ方向から見た靴履き支援具の側面図である。
【図４】図１に示す靴履き支援具を鉄鋼板の表面側から見た平面図である。
【図５】図１に示す靴履き支援具を用いて靴を履く動作を説明するための図である。
【図６】実施の形態２による靴履き支援具の斜視図である。
【図７】図６に示すＢ方向から見た靴履き支援具の側面図である。
【図８】実施の形態３による靴履き支援具の斜視図である。
【図９】実施の形態４による靴履き支援具の斜視図である。
【図１０】図９に示す靴ベラ支持部の拡大図である。
【図１１】靴ベラの回転を説明するための図である。
【図１２】実施の形態５による靴履き支援具の斜視図である。
【図１３】実施の形態６による靴履き支援具の斜視図である。
【図１４】実施の形態７による靴履き支援具の斜視図である。
【図１５】実施の形態８による靴履き支援具の斜視図である。
【図１６】実施の形態９による靴履き支援具の斜視図である。
【図１７】図１６に示す靴履き支援具を用いて靴を履く動作を説明するための図である。
【図１８】実施の形態１０による靴履き支援具の斜視図である。
【図１９】実施の形態１１による靴履き支援具の斜視図である。
【図２０】実施の形態１２による靴履き支援具の斜視図である。
【図２１】実施の形態１３による靴履き支援具の斜視図である。
【図２２】実施の形態１４による靴履き支援具の斜視図である。
【図２３】実施の形態１５による靴履き支援具の斜視図である。
【符号の説明】
【０１７４】
１，１Ａ，１Ｂ  靴設置部、２，２Ａ，２Ｂ，２１Ａ，２１Ｂ，２２１Ａ  降下部、３，３Ａ，３Ｂ，３３  靴ベラ、４，４Ａ，４Ｂ，１４Ａ，１４Ｂ  靴ベラ支持部、５Ａ，５Ｂ，５Ｃ，５Ｄ  蝶番、６  ゴム部材、６Ａ，６Ｂ，６Ｃ，６Ｄ  リング、７  凸部、８Ａ，８Ｂ  空間部、９，１１〜１３  矢印、１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎ，１１１〜１１ｍ，１２１〜１２ｍ，１３１〜１３ｍ，１６１〜１６ｍ  靴履き支援具、１５  棒部材、１６Ａ，１６Ｂ  支持部材、１７Ａ，１７Ｂ  センサー、２０  鉄鋼板、２０Ａ  表面、２０Ｂ  裏面、３０  設置面、４０Ａ，４０Ｂ  靴、４１Ａ，４１Ｂ  踵部、４２Ａ，４２Ｂ  本体部、５０，５０Ａ  手摺、６０  モータ、６１  シャフト、７０  制御回路、１４１  開口部、１４１Ａ，１４１Ｂ  端面、１５１  止め具。
【図１】
2007136038.tif 000003
【図２】
2007136038.tif 000004
【図３】
2007136038.tif 000005
【図４】
2007136038.tif 000006
【図５】
2007136038.tif 000007
【図６】
2007136038.tif 000008
【図７】
2007136038.tif 000009
【図８】
2007136038.tif 000010
【図９】
2007136038.tif 000011
【図１０】
2007136038.tif 000012
【図１１】
2007136038.tif 000013
【図１２】
2007136038.tif 000014
【図１３】
2007136038.tif 000015
【図１４】
2007136038.tif 000016
【図１５】
2007136038.tif 000017
【図１６】
2007136038.tif 000018
【図１７】
2007136038.tif 000019
【図１８】
2007136038.tif 000020
【図１９】
2007136038.tif 000021
【図２０】
2007136038.tif 000022
【図２１】
2007136038.tif 000023
【図２２】
2007136038.tif 000024
【図２３】
2007136038.tif 000025